(57)【要約】【課題】本発明は、紙の上に既に印字された画像や情報を操作することが可能な手書き情報入力装置を提供する。【解決手段】電子的に作成された文書が印刷された紙文書上に加えられた手書き情報を取得する手書き入力部と、電子的に作成された文書を識別する文書識別情報を取得する文書識別情報読み取り装置とを有する手書き情報入力装置であって、手書き入力部により入力された座標情報が、領域の指定であるか否かを判断する領域指定判断装置と、領域指定判断装置により判断された領域に対して、動作を指定する動作指定装置と、領域指定判断装置により判断された領域の座標情報と、動作指定装置により指定された動作を保存する指定領域保存装置とを有することを特徴とする、手書き情報入力装置により実現する。【選択図】    図３
2004280601.tif 000002
【特許請求の範囲】
【請求項１】
電子的に作成された文書が印刷された紙文書上に加えられた手書き情報を取得する手書き入力部と、前記電子的に作成された文書を識別する文書識別情報を取得する文書識別情報読み取り装置とを有する手書き情報入力装置であって、
前記手書き入力部により入力された座標情報が、領域の指定であるか否かを判断する領域指定判断装置と、
前記領域指定判断装置により判断された領域に対して、動作を指定する動作指定装置と、
前記領域指定判断装置により判断された領域の前記座標情報と、前記動作指定装置により指定された前記動作を保存する指定領域保存装置とを有することを特徴とする、手書き情報入力装置。
【請求項２】
電子的に作成された文書が印刷された紙文書上に加えられた手書き情報を取得する手書き入力部と、前記電子的に作成された文書を識別する文書識別情報を取得する文書識別情報読み取り装置とを有する手書き情報入力装置と通信する、前記電子的に作成された文書を保存する記憶装置を有する情報処理装置であって、
前記手書き情報入力装置上に設置された、前記文書識別情報を付与された前記紙文書上で、前記手書き入力部によって領域を指定したときに、前記対応する電子的に作成された文書内の前記指定された領域に記載されている情報を保存する情報保存部を備えることを特徴とする情報処理装置。
【請求項３】
前記指定された領域に記載されている情報を、前記対応する電子的に作成された文書から削除することを特徴とする請求項２に記載の情報処理装置。
【発明の詳細な説明】
【０００１】
【発明の属する技術分野】
本発明は、コンピュータへ手書き情報を入力する手書き情報入力装置に関連し、特に手書き情報入力装置の制御装置及び制御方法に関連する。また、本発明は、電子文具装置、コンピュータへの手書き情報入力装置にも関連する。
【０００２】
【従来の技術】
近年は、業務を電子的に行うことが進展しており、流通する電子文書が増大している。一方では、ＣＲＴ、ＬＣＤなどのディスプレイの品質は、いまだ紙への印刷よりも劣る点も多い。このために、電子的に作成された文書を、紙文書として紙に印刷する機会が増大している。これらの紙文書に対して行われた手書き作業を有効に利用するために、加筆情報を電子化する手段が必要とされている。しかし、現在使われている手書き情報入力装置は、機能が低いため使い勝手が悪い。
【０００３】
例えば、タブレット、デジタイザとよばれる、板状のセンサーとペン型の装置を用いて、コンピュータへ手書き入力を行う装置が存在している。しかし、これらの装置は単純に加筆座標情報を取得するだけである。従って、紙文書への手書き作業を電子文書に反映するためには、不具合が生ずる場合がある。例えば、電子文書を印刷した紙の上へ、更に加筆する場合には、元の電子文書へ、このように加筆された情報を挿入することが望ましいが、これは、不可能であった。
【０００４】
またスキャナ装置を用いても、紙文書を電子文書とすることが可能であるが、しかし、この場合にも、紙文書へ行った手書き作業を、電子文書に反映するためには不具合が生ずる場合がある。例えば、電子文書を印刷した紙文書を、スキャナで再び電子化した場合には、ワープロソフトなどで作成した元の電子文書が存在するにもかかわらず、別の電子文書として画像文書が作成されるだけであり、元の電子文書に加筆情報を挿入することは不可能である。
【０００５】
これらの従来の装置では、加筆座標を取得する機能、あるいは画像を取得する機能のみを有しているので、紙に印刷された元の電子文書がどのようなものであるかを識別することが不可能である。従って、取得した加筆座標を挿入すべき電子文書が不明であるので、前述のような不具合が生じている。
【０００６】
このような問題を解決するために、特許文献１や、本発明者らによる特許文献２においては、次のような方法を使用している。
【０００７】
まず、電子的に作成された文書を印刷するときに、バーコードなどの、機械が識別しやすい模様（パターン）によって、元の電子文書を特定する文書識別情報を、同時に印刷する。ここで、文書識別情報とは、紙文書上に印刷された文書の、元ととなる電子ファイルの保存場所、ファイル名、ページ番号などを表す情報、又は、それらを管理する情報であり、たとえば「／／Ｃ：￥ＭｙＤｏｃｕｍｅｎｔ￥ｔｍｐ．ｄｏｃ，ｐｐ１」などの情報である。
【０００８】
次に、印刷された紙文書へ手書き入力を行う時には、加筆された入力の座標情報と共に、文書識別情報を取得する。
【０００９】
次に、加筆情報を電子文書に挿入するときに、上述の文書識別情報に従って、手書き情報の書き加えられた紙文書が、元々どの電子文書を印刷したのかを識別する。そして、手書きで入力された情報を、適切な電子文書へ挿入することが可能である。
【００１０】
特に、特許文献２に記載された例おいては、手書き情報入力装置上に、複数の紙文書を積載して設置し、この紙文書を順次めくりながら自動的に識別することが可能になっている。これにより、大量の、紙へ施された加筆操作を、適切に電子文書に反映させ、そして、電子文書と紙文書とを、相互に用いながら、業務をより効率よく実施することを可能としている。
【００１１】
図１は、特許文２に示された従来技術の手書き情報入力装置１００の概略図を示す。従来技術の手書き情報入力装置１００は、主に、電磁誘導式ディジタイザのような手書き入力部１０３、文字識別情報読み取り装置１０５、及び専用入力ペン１０６を有する。手書き入力部１０３上には、紙文書１０１が配置され、この紙文書１０１には文字識別情報１０４が印刷されている。そして、紙文書１０１には、専用入力ペン１０６により、手書き情報１０２が入力される。
【００１２】
図１に示された従来技術の手書き情報入力装置１００は、紙文書１０１へ加えられた筆記動作による手書き情報１０２を、適切な元の電子文書へ反映させるための装置である。手書き入力部１０３と、文書識別情報読取装置１０５は、文書識別情報１０４が印刷された紙文書１０１へ専用入力ペン１０６により、手書き入力を行うときに、手書き情報１０２と文書識別情報１０４とを同時に取得する。
【００１３】
このときに、専用入力ペン１０６は、実際に紙に筆記できることが望ましい。特許文献２に示された図１に示された従来技術の手書き情報入力装置１００は、取得された手書き情報を文書識別情報１０４に従って、適切な電子文書に反映させることを可能とするものである。
【００１４】
また、特許文献３には、ＬＣＤやディスプレー上に透明パッドを設置し、パッド上で指示した領域に対応した領域に表示されているデータを処理する情報処理装置が示されている。
【００１５】
【特許文献１】
特開平９−９１０８３号公報
【００１６】
【特許文献２】
特開２０００−１１２６４６号公報
【００１７】
【特許文献３】
特開平６−２８２３７５号公報
【００１８】
【特許文献４】
特開平９−９１０８３号の補正の掲載
【００１９】
【発明が解決しようとする課題】
一方、通常の紙文書を利用した作業においては、図１に示された手書き情報入力装置１００によって実現される、文字や図形を加筆する作業だけでなく、すでに紙の上に印刷されている画像の複写や、挿入、及び削除を行う場合も多い。例えば、予め作成された文書の一部だけを削除して、新しい文書として利用したり、又は、既存の文書の一部を複写して、他の文書と組み合わせて新しい文書を作成する作業などが、多く存在する。
しかし、図１に示された手書き情報入力装置１００では、上述のように文書識別情報と加筆座標のみを取得できるためので、既存の文書から、指示された領域のデータを取得することを必要とされる、上述の作業は、実行することが困難である。
【００２０】
本発明は、上述の問題点を解消することを目的とする。特に、電子的に作成された文書が紙面上に印刷された紙文書に対して、手書き入力された手書き情報を取得することが可能な、手書き情報入力装置において、手書き情報入力装置上に設置された紙文書上に予め印刷された情報を取得し、複製し、そして挿入すること等を可能にするものである。
【課題を解決するための手段】
上記目的は、以下の本発明により解決される。
【００２１】
請求項１の発明は、電子的に作成された文書が印刷された紙文書上に加えられた手書き情報を取得する手書き入力部と、前記電子的に作成された文書を識別する文書識別情報を取得する文書識別情報読み取り装置とを有する手書き情報入力装置であって、
前記手書き入力部により入力された座標情報が、領域の指定であるか否かを判断する領域指定判断装置と、
前記領域指定判断装置により判断された領域に対して、動作を指定する動作指定装置と、
前記領域指定判断装置により判断された領域の前記座標情報と、前記動作指定装置により指定された前記動作を保存する指定領域保存装置とを有することを特徴とする。
【００２２】
請求項１の発明により、紙とペンを用いた操作によって、電子ファイルを操作するための装置を提供することができる。
【００２３】
請求項２に記載の発明は、電子的に作成された文書が印刷された紙文書上に加えられた手書き情報を取得する手書き入力部と、前記電子的に作成された文書を識別する文書識別情報を取得する文書識別情報読み取り装置とを有する手書き情報入力装置と通信する、前記電子的に作成された文書を保存する記憶装置を有する情報処理装置であって、
前記手書き情報入力装置上に設置された、前記文書識別情報を付与された前記紙文書上で、前記手書き入力部によって領域を指定したときに、前記対応する電子的に作成された文書内の前記指定された領域に記載されている情報を保存する情報保存部を備えることを特徴とする。
【００２４】
請求項２に記載の発明により、紙とペンを用いた操作によって電子ファイルを操作することが可能な情報処理装置を提供できる。
【００２５】
請求項３に記載の発明は、指定された領域に記載されている情報を、対応する電子的に作成された文書から削除することを特徴とする。
【００２６】
請求項３に記載の発明により、目的は紙とペンを用いた操作によって電子ファイルを操作することが可能な情報処理装置において、操作後の電子ファイルをより見やすくすることができる。
【００２７】
【発明の実施の形態】
本発明の実施例を、以下に詳細に説明する。
【００２８】
本発明は、図１に示された手書き情報入力装置１００に対して、手書き入力部１０３上に設置した紙文書１０１に、すでに印刷された情報をコピーし、送信し、そして削除する等の操作を可能にするものである。
【００２９】
図２は、本発明に従った手書き情報入力装置２００の概略を示す図である。図２に示された手書き情報入力装置２００は、主に、電磁誘導式ディジタイザのような手書き入力部２０３、文字識別情報読み取り装置２０５、専用入力ペン２０６、及び動作指定装置２１０を有する。動作指定部２１０は、指定した領域に対して行う動作を指定する。
【００３０】
図３は、ホストコンピュータシステム３００を示す図であり、ホストコンピュータシステム３００は、ホストコンピュータ３０１とプリンタなどの印刷装置により構成される出力装置３０２を有する。ホストコンピュータ３０１は、記憶装置３０３を有し、記憶装置３０３内には、電子文書３０４が記憶されている。
【００３１】
図３に示されたホストコンピュータ３０１は、通信装置によって手書き情報入力装置２００と接続されることが可能である。図２に示された手書き情報入力装置２００の手書き入力部２０３上には、複数の紙文書２０１が配置される。、この複数の紙文書２０１は、図３に示された記憶装置３０３内に記憶された電子文書３０４が、出力装置３０２のより印刷されたものであり、そして、それぞれ、異なった文字識別情報２０４が印刷されている。そして、紙文書２０１には、専用入力ペン２０６により、手書き情報２０２が入力される。
【００３２】
先ず最初に、本発明の動作の概要を以下に、説明する。
【００３３】
最初に、手書き情報入力装置２００上に、電子文書から印刷した紙文書２０１を設置する。
【００３４】
次に、手書き情報入力装置２００上で、コピー、送信、及び削除などの動作を実施する領域を指定する。
【００３５】
次に、手書き情報入力装置２００上で、実施する動作を指定する。
【００３６】
次に、設置された紙文書２０１より読み取った文書識別情報２０４に従って、ホストコンピュータ３０１内の、記憶装置３０３に記憶されている、対応する電子文書３０４を特定する。
【００３７】
次に、ホストコンピュータ３０１を介して通信して、特定された電子文書３０４から、指定した領域に対応する情報を読み出し、そして、一旦、手書き情報入力装置２００内に保存する。
【００３８】
次に、保存された情報に対して、コピーなどのような指示された動作を実行する。例えば、コピー動作の場合には、一旦保存した情報を、公知のＷｉｎｄｏｗｓ（登録商標）システムでクリップボードと呼ばれる共通のデータバッファに保存する動作であり、また、送信動作の場合には、保存された情報をメールソフトなどによって送信する動作である。
【００３９】
次に、本発明の実施例の動作について、以下に詳しく説明する。
【００４０】
図２の手書き情報入力装置２００の手書き入力部２０３は、電磁誘導方式、超音波方式などを使用した、実際の紙の上から座標入力を行うことが可能なタブレットである。また、文書識別情報２０４は、例えば、バーコード、２次元コード等によって表現される。文書識別情報読取装置２０５は、前述のコードを読み取ることが可能なコードリーダでありそして、専用入力ペン２０６は前述の手書き入力部２０３に対応して、実際の紙の上に筆記することが可能であり且つ、入力した座標を電子的に取得することが可能なペンである。
【００４１】
紙文書２０１は、図３に示された電子文書３０４を、プリンタなどの印刷装置である出力装置３０２によって印刷したものである。紙文書２０１上にある、バーコードなどの形式を使用して印刷された文書識別情報２０４は、電子文書３０４を識別することを可能とする情報を表す。この情報は、例えば、電子文書３０４が保存されている記憶装置３０３内の保存場所や、ファイル名又は、ページ番号などを表す情報、又は、それらの情報を管理する情報である。例えば、「／／Ｃ：￥ＭｙＤｏｃｕｍｅｎｔ￥ｔｍｐ．ｄｏｃ，ｐｐ１」などの情報である。
【００４２】
動作指定装置２１０は、例えば、ボタンを用いることが可能であり、コピー、メール、削除などのような、指定した領域に対して実行する動作をそれぞれ対応付けたスイッチを設置することにより実現する。
【００４３】
つぎに、本発明の手書き情報入力装置２００の機能ブロックを図４によって説明する。本発明による、手書き情報入力装置２００は、主に、手書き入力部２０３、文字識別情報読み取り装置２０５、動作指定装置２１０、電子文書呼び出し部４０１、情報切り出し部４０２、情報保存部４０３、データ通信装置４０４、動作実行部４０５、領域座標保存部４０６、領域指定判断部４０７、及び４１０データバスにより構成される。
【００４４】
領域指定判断部４０７は、手書き入力部２０３によって得られた手書き情報２０２の座標が、領域を指定したものかどうかの判断を行う。
【００４５】
領域座標保存部４０６は、指定した領域座標データと領域指定動作を行った際に設置されていた紙文書の文書識別情報を保存する。
【００４６】
データ通信装置４０４は、電子文書３０４が保存されている図３に示されたホストコンピュータ３０１等と情報を送受信する。
【００４７】
これらは互いにデータバス４１０などによって接続され、更に、図示されてないマイコンなどを用いたコントローラ、コントローラに接続されたパラレルポート、電源などを備える。
【００４８】
領域指定判断部４０７はソフトウェアとして構成することも可能でありそして、これは、主にコストの面から望ましい。動作指定装置２１０における動作指定の読み取りは、たとえばスイッチに接続されたパラレルポートを読み取ることで実施する。
【００４９】
電子文書呼び出し部４０１は、読み取られた文書識別情報から適切な電子文書を呼び出す。
【００５０】
情報切り出し部４０２は、呼び出された電子文書から、取得された指定領域に対応する部分を切り出す。
【００５１】
情報保存部４０３は、切り出した情報を保存する。
【００５２】
また、動作実行部４０５は、動作指定装置４０４で指示された動作を実行する。
【００５３】
ここで、手書き情報入力装置２００が、図１に示された手書き情報入力装置１００と同様に、ホストコンピュータ３０１などと一体となって運用される場合には、電子文書呼び出し部４０１、情報切り出し部４０２、情報保存部４０３、動作実行部４０５は、手書き情報入力装置２００と一体である必要はなく、ホストコンピュータ３０１側に設置することも可能である。
【００５４】
これらは、互いにデータバス４１０などによって接続されるが、単一のコンピュータシステム内にて実行するソフトウェアとして構成することも可能である。これは、主にコストの面から望ましい。
【００５５】
図２に示された手書き情報入力装置２００と図３に示されたホストコンピュータ３０１は、データ通信装置４０４によって適宜接続される。データ通信装置４０４は、イーサネット（登録商標）などのネットワーク技術、ＵＳＢ、シリアル接続などのローカル接続技術などを用いることができる。
【００５６】
次に本発明の動作の例を以下に説明する。
【００５７】
先ず第１の手順では、座標取得動作について説明する。座標取得動作は、手書き入力部２０３より手書き入力２０２の座標を取得する。手書き入力は、手書き情報入力装置２００の手書き入力部２０３上の座標を表し、専用入力ペン２０６により、手書き情報入力装置２００の手書き入力部２０３上の任意の点を指すことで取得される。
【００５８】
第２の手順では、文書識別情報の取得動作について説明する。文書識別情報の取得動作は、文書識別情報読取装置２０５を使用して、紙文書２０１上の文書識別情報２０４を取得する。座標取得手順と文書識別情報取得手順は、次のようである。
【００５９】
座標の取得は、例えば、電磁誘導式ディジタイザである、手書き入力部２０３により行う。電磁誘導式ディジタイザである手書き入力部２０３は、手書き入力しているときに電磁場を放射するアクティブなペンであり、その発する電磁場を手書き情報入力装置２００が検出することにより、座標が取得される。
【００６０】
また、文書識別情報の取得は、例えば、バーコードリーダである、文字識別情報読み取り装置２０５により、紙文書２０１の所定の位置に印刷されたバーコード等で表される文書識別情報を読み取ることにより行う。これは、例えば、特開２０００−１１２６４６号公報にも示されている。
【００６１】
第３の手順では、領域指定の特定動作について説明する。上記の手順によって得られた手書き入力２０２の座標が、領域の指定にかかわる座標入力であるかどうかを判断する。この入力により領域が指定されたのか否かの判断は、手書き入力された座標に連なる一連の一筆書きが、領域の定義に当てはまるかどうかに従って判断する。
【００６２】
図５、図６及び図７は、領域の定義の例を示す。領域が指定されたかどうかは、いわゆる閉領域と呼ばれる一筆書きで囲まれた領域などを用いて判断することができる。図５、図６及び図７において、記号Ｓは、一筆書きの開始位置でありそして、Ｅは終了位置である。
【００６３】
図５と図６に示された斜線部分は、閉領域である。この場合に、一筆書きは正確に閉じている必要はない。たとえば図６に示されたように、ある程度、始点と終点が近接しているだけでも、閉領域と判断することができる。
【００６４】
また領域の定義はこの方法に限らず、たとえばある領域を削除する場合には図７に示されたように、削除したい領域を覆うように筆記することも可能である。
【００６５】
本手順において領域が指定されていないと判断した場合は、先願と同様の上記座標取得と、文書識別情報取得の手順を繰り返す。
【００６６】
第４の手順では、動作指定の読み取り動作について説明する。動作指定の読み取り動作は、前述の手順によって領域が指定された場合には、動作指定装置２１０によって指定された動作を読み取る。動作が指定されない場合には、上述の、座標取得と、文書識別情報取得の手順を繰り返す。
【００６７】
第５の手順では、領域情報の保存動作について説明する。領域情報の保存動作は、上記の手順によって領域が指定され、動作が指定された場合に、領域の座標と領域が指定されたときに設置されていた紙文書２０１の文書識別情報２０４と、指定された動作を、領域座標保存部４０６に保存する。
【００６８】
第６の手順では、保存情報の送受信動作について説明する。保存情報の送受信動作は、上記の手順によって領域座標保存部４０６に保存された情報を、通信部４０４によって手書き情報入力装置２００から、ホストコンピュータ３０１へ送信される。
【００６９】
第７の手順では、電子文書の読み出し動作について説明する。電子文書の読み出し動作は、取得された文書識別情報２０４に従って、適切な電子文書３０４を、ホストコンピュータ３０１から読み出す。
【００７０】
第８の手順では、情報の切り出し動作について説明する。情報の切り出し動作は、上記手順により読み出された電子文書から、指定された領域を切り出し、そして、情報保存部４０３に保存する。
第９の手順では、動作の実行について説明する。動作の実行は、動作実行部４０５により、上記手順により保存された情報に対して、上記手順により指定された動作を実行する。ここで、上記の手順のうち、第７の手順から第９の手順は、ホストコンピュータ３０１において実行され、第１の手順から第６の手順と、必ずしも同時に実行される必要はない。
【００７１】
上記第４の手順で指定され、第９の動作実行手順において実行する動作としては「コピー」、「メール」、「削除」などを指定することができる。
【００７２】
ここで、実行する動作として「コピー」動作が指定された場合には、たとえば、情報保存部４０３に保存されている切り出された情報を公知のＷｉｎｄｏｗｓ（登録商標）システムでクリップボードと呼ばれる共通のデータバッファに保存する動作を実行する。
【００７３】
次に、実行する動作として「削除」動作が指定された場合には、たとえば、情報保存部４０３に保存されている切り出された情報を、記憶装置３０３に保存されている元となる電子文書３０４から削除する動作を実行する。ここで、指定された領域が削除された電子文書を、新しい電子文書として保存することも可能であり或は、既存の電子文書に置き換えて保存することも可能である。また、削除済みの電子文書を改めて紙文書として印刷することも可能である。
【００７４】
次に、実行する動作として「メール」動作が指定された場合には、たとえば新規メールを作成し、情報保存部４０３に保存されている切り出された情報を作成したメール文書に挿入あるいは添付する動作を実行する。
【００７５】
また、上記の操作を行った後に、領域指定にかかわる座標データを表示することも、表示しないことも可能である。
【００７６】
図８は、「コピー」動作において、領域指定にかかわる座標データを表示した場合の例を示す図である。また、図９は、「コピー」動作において、領域指定にかかわる座標データを表示しない場合の例を示す図である。図８に示すように領域８０２の指定に関する座標データを表示した場合には、コピーした領域の周縁部に枠８０１が表示される。一方、図９に示すように領域８０２の指定に関する座標データを表示しない場合には、図８では表示されるコピーした領域の周縁部の枠は表示されない。
【００７７】
また、上記の「コピー」等の動作を行った後に、この「コピー」等の動作を反映した電子文書を、再び紙文書として自動的に印刷することも可能である。
【００７８】
【発明の効果】
請求項１の発明によって、手書き情報入力装置によって、領域とその領域に対する操作を指示することを可能としているので、紙の上に既に印字された画像や情報を操作することが可能となる。
【００７９】
請求項２の発明によって、情報処理装置に対して、領域とその領域に対する操作を指示することを可能としているので、紙の上にすでに印字された画像や情報を操作することが可能となる。
【００８０】
請求項３の発明によって、情報処理装置に対して、領域の指定にかかわる座標列を削除することを可能としているために、操作後の電子ファイルをより見やすくすることが可能である。
【図面の簡単な説明】
【図１】従来の手書き情報入力装置の概略を示す図である。
【図２】本発明に従った手書き情報入力装置の概略を示す図である。
【図３】ホストコンピュータシステムを示す図である。
【図４】本発明に従った手書き情報入力装置の機能ブロックの概略を示す図である。
【図５】本発明に従った領域の定義の例を示す図である。
【図６】本発明に従った領域の定義の例を示す図である。
【図７】本発明に従った領域の定義の例を示す図である。
【図８】領域指定にかかわる座標データを表示した場合の例を示す図である。
【図９】領域指定にかかわる座標データを表示しない場合の例を示す図である。
【符号の説明】
１００  手書き情報入力装置
１０１  紙文書
１０２  手書き情報
１０３  手書き入力部
１０４  文書識別情報
１０５  文書識別情報読取装置
１０６  専用入力ペン
２００  手書き情報入力装置
２０１  紙文書
２０３  手書き入力部
２０５  文字識別情報読み取り装置
２０６  専用入力ペン
２１０  動作指定装置
３００  ホストコンピュータシステム
３０１  ホストコンピュータ
３０２  出力装置
３０３  記憶装置
３０４  電子文書
４０１  電子文書呼び出し部
４０２  情報切り出し部
４０３  情報保存部
４０４  データ通信装置
４０４  動作指定装置
４０５  動作実行部
４０６  領域座標保存部
４０７  領域指定判断部
【図１】
2004280601.tif 000003
【図２】
2004280601.tif 000004
【図３】
2004280601.tif 000005
【図４】
2004280601.tif 000006
【図５】
2004280601.tif 000007
【図６】
2004280601.tif 000008
【図７】
2004280601.tif 000009
【図８】
2004280601.tif 000010
【図９】
2004280601.tif 000011